(57)【特許請求の範囲】
【請求項１】
単段に並設した複数の各水槽と、底面濾過機構を備えた一つの循環濾過装置とよりなる海水魚の飼育装置であって、
各水槽は底面濾過機構、オーバーフローさせる落水管（５ａ，ｂ，ｃ）、及び該落水管の開口より下方に開口し、逆洗後の水槽内の水を排水する弁（２０ａ，ｂ，ｃ）及び逆洗管（１９ａ，ｂ，ｃ）を備えており、
各水槽の前記落水管からの水を、落差による自然落下作用により循環濾過装置上方に送るため、循環濾過装置内で前記落水管の開口より下方に開口する第１の循環送水管（９）と、
循環濾過装置の底面濾過機構の下方の水を各水槽の上方に戻すための第２の循環送水管（１１ａ，ｂ、１６ａ，ｂ、１５ａ，ｂ）、循環用の弁（１３ａ、ｂ）及び循環ポンプ（１０ａ，ｂ）と、
前記第２の循環送水管と各水槽の底面濾過機構の下方の底部空間（Ｐ）とに連通する逆洗用の分岐管（１７ａ，ｂ）及び逆洗用の弁（１８ａ、ｂ）と、
を備えていることを特徴とする海水魚の飼育装置。
【請求項２】
第２の循環送水管に殺菌装置を設けたことを特徴とする請求項１記載の海水魚の飼育装置。
【発明の詳細な説明】
【０００１】
【産業上の利用分野】
この発明は、海水魚を飼育するための飼育方法及びその装置に関するものである。
【０００２】
【従来の技術】
近年、マリン・アクアリウムが静かなブームを呼んでいるが、魚の泳ぐ姿に安らぎや伸々した開放感を覚えるからである。
このように、鑑賞魚は、色彩の鮮やかさや動きの妙味とが重なって特有の雰囲気を醸し出すことから、愛玩用としては勿論、インテリアの一つとしても用いられるようになってきている。
特に鑑賞魚の中でも、淡水魚に較べて海水魚は、原色的なカラフルさを持ち、動きも極めて俊敏で且つ活発であるため、観賞用としては極めて人気がある。
従って、海水魚の需要が益々増大している。
【０００３】
通常、観賞用の海水魚は、流通段階で弾力的な供給体制に応じるため、業者のところにおいて一時的に水槽内で飼育される必要があり、増大する需要に応じるには、このような流通段階での海水魚の飼育が効率的にうまく行われれなければならない。
ところで、海水魚は一般に塩分を含んだ水中での環境を育てるため、溶存酸素量が少なく、酸素を嫌うバクテリアが繁殖し易いという欠点がある。
このよう酸素を嫌うバクテリア即ち嫌気性バクテリアが発生すると、飼育中に発生する魚の排泄物によってできる腐敗物等を毒性の強い硫化物に変化させ易くなる。
【０００４】
このようなことから、海水魚を飼育するには嫌気性バクテリアの発生を極力抑えることが必要であるが、そのためには、面倒な水槽の水質、水温等の管理をしなければならなず手数がかかるのである。
そのため、現在行われている海水魚の飼育方法としては、外部に瀘過装置を別に有する水槽を使ったものが主流となって行われている。
そして流通段階で業者が一時的に大量に飼育する場合は、比較的小型の水槽を多数床面に並べて置き、各水槽毎に備わった外部瀘過装置により、個々の水槽毎に瀘過が行われる。
【０００５】
個々の比較的小型の水槽を使用して管理するのは、魚の種類別に対応するためと、病気が発生した場合の伝染予防策のためである。
しかし、このようなやり方では、瀘過装置の数が多くなること、また費用的にコスト高になること等の諸欠点があった。
そこで、発明者等は鋭意研究の結果、複数の水槽を多段に積み重ねることにより、省力化できることを見出し、多段に積み重ねた各水槽の水をその下段の対応する各水槽に落下させ、最下段の瀘過装置を介して最下段の各水槽と最上段の各水槽との間で水を循環させて魚を飼育する方法および装置を開発した（この技術は既に出願済である）。
【０００６】
しかしながら、このように各水槽を多段に積み重ねた縦形積み重ね方式では、魚を側面から見る場合は視野が限定され、単に一般家庭の観賞用としては良いが、この種の業者用として飼育のために水槽全体を管理する際に、側面のみでは必ずしも良い観察ができないこと、また水槽を多段に積み重ねると安全性の面から枠組による補強が必要となり、水槽ならびにこれを支持する枠体が大形化しかつ使用されるポンプの揚程も高くする必要性からポンプ出力が増大して循環効率が悪く、結果的に費用的にもコスト高になること等の諸欠点があった。
【０００７】
【発明が解決しようとする課題】
本発明は、かかる事情に鑑みてなされたもので、水槽全体を監視、観察し易く、循環効率が良く、しかもトータルコストを低減できる海水魚の飼育方法及びその装置を提供することを目的とする。
【０００８】
【課題を解決するための手段】
しかして、本発明者等はこのような問題を解決するため鋭意研究を進めた結果、水槽を単段に配置すると、水槽全体を観察することができ、且つ水槽自体の補強枠を不要とすると共にポンプを低容量化できることを見出し、この知見に基づいて本発明を完成するに至ったものである。
【０００９】
即ち、本発明は、単段に並設した複数の各水槽と、底面濾過機構を備えた一つの循環濾過装置とよりなる海水魚の飼育装置であって、各水槽は底面濾過機構、オーバーフローさせる落水管（５ａ，ｂ，ｃ）、及び該落水管の開口より下方に開口し、逆洗後の水槽内の水を排水する弁（２０ａ，ｂ，ｃ）及び逆洗管（１９ａ，ｂ，ｃ）を備えており、各水槽の前記落水管からの水を、落差による自然落下作用により循環濾過装置上方に送るため、循環濾過装置内で前記落水管の開口より下方に開口する第１の循環送水管（９）と、循環濾過装置の底面濾過機構の下方の水を各水槽の上方に戻すための第２の循環送水管（１１ａ，ｂ、１６ａ，ｂ、１５ａ，ｂ）、循環用の弁（１３ａ、ｂ）及び循環ポンプ（１０ａ，ｂ）と、前記第２の循環送水管と各水槽の底面濾過機構の下方の底部空間（Ｐ）とに連通する逆洗用の分岐管（１７ａ，ｂ）及び逆洗用の弁（１８ａ、ｂ）と、を備えている海水魚の飼育装置に存する。
【００１０】
そして、第２の循環送水管に殺菌装置を設けた上記１の海水魚の飼育装置に存する。
【００１２】
【作用】
単段に並設された複数の各水槽内で瀘過された水は更に循環濾過装置により濾過される。
その後、各水槽に戻され、全体として、効率的な海水魚の飼育がなされる。
【００１３】
【実施例】
以下、図面を使って実施例を説明する。
図１は、本発明の実施例である海水魚を飼育する水槽装置のフローシートを示す概念図である。
図１に示すように複数の水槽Ａが床面上に単段に並設されている。
すなわち並設された水槽Ａの内、特定の水槽Ａ１には瀘過槽Ｂが隣接して設けられており、さらに水槽Ａ１の他にも多数の水槽（図ではＡ１、Ａ２、Ａ３のみ図示）が並設され、この他にも図示はしないが多数の水槽が並設されている。
各水槽の中には、それぞれ決められた熱帯魚が飼育されており、全体を上から見渡せ、常時、飼育状態を詳しく監視、観察することができる。
【００１４】
そして並設された各水槽Ａ１、Ａ２、Ａ３の水は、後述するように第１の循環送水管を介して循環濾過装置に送水され、この循環濾過装置により濾過され、濾過された水は、第２の循環送水管を介して再び各水槽Ａ１、Ａ２、Ａ３に戻される。
この場合、この循環濾過装置は、濾過槽Ｂとこの濾過槽Ｂの底部に設けられた後述する底面濾過機構と散水装置６で構成されている。
すなわち、各々水槽Ａ１、Ａ２、Ａ３は、後述するようにオーバーフロー型の底面濾過機能を有する水槽が使用されている。
【００１５】
このオーバーフロー型の各水槽Ａ１、Ａ２、Ａ３には、この水槽内の水をオーバーフローさせる落水管５ａ、５ｂ、５ｃが設けられ、この落水管５ａ、５ｂ、５ｃには第１の循環送水管である循環送水管９がそれぞれ接続されると共に、この循環送水管９の端部には瀘過槽Ｂの上部に設けられた散水装置６に接続されている。
尚、この散水装置６は、他の水槽と同様に水槽Ａ１では落水管５ａの頂部Ｑ１より僅か低い位置に設定されるため、その落差により自然落下し、ポンプを使用せずに散水させることができる。
【００１６】
また、濾過槽Ｂには、この濾過槽Ｂに敷き詰められた濾材８の底部空間Ｐ２に連通するよう循環送水管１１ａ、１１ｂが接続され、これら循環送水管１１ａ、１１ｂには開閉弁（以下単に弁と称する）１２ａ、１２ｂを介して循環ポンプ１０ａ、１０ｂがそれぞれ接続されている。さらに、この循環ポンプ１０ａ、１０ｂには循環用の１３ａ、１３ｂを介して殺菌装置１４ａ、１４ｂが接続され、これら殺菌装置１４ａ、１４ｂにはそれぞれ循環送水管１５ａ、１５ｂが延設されている。
【００１７】
延設された一方の循環送水管１５ａは、それぞれ分岐されて瀘過槽Ｂおよび各水槽Ａ１、Ａ２の上部に弁Ｖ１、Ｖ２およびＶ３を介して吐出口を臨ませており、他の循環送水管１５ｂは、水槽Ａ３および図示しない他の水槽の上部へ弁Ｖ４および図示しない弁を介してそれぞれ吐出口を臨ませている。
このように、瀘過槽Ｂにより瀘過された水は、循環ポンプ１０ａ、１０ｂにより第２の循環送水管としての循環送水管１１ａ、１１ｂ、１６ａ、１６ｂ、１５ａおよび１５ｂを介して各水槽に戻される。
【００１８】
一方、各循環ポンプ１０ａ、１０ｂと殺菌装置１４ａ、１４ｂとを接続する循環送水管１６ａ、１６ｂの間にそれぞれ逆洗用の分岐管１７ａ、１７ｂが逆洗用の弁１８ａ、１８ｂを介して接続され、その一つの逆洗用の分岐管１７ａは水槽Ａ１、Ａ２の底部空間Ｐに弁Ｕ１、Ｕ２を介して接続されると共に、他の逆洗用の分岐管１７ｂは水槽Ａ３の底部空間Ｐないし図示しない他の水槽の底部空間にもそれぞれ弁Ｕ３ないし他の図示しない弁を介して接続されている。
さらに各水槽の底部空間Ｐには、前記各弁Ｕ１、Ｕ２、Ｕ３と連通する開口部Ｕ１Ｘ、Ｕ２ＸならびにＵ３Ｘが形成されている。
【００１９】
そして、これら各水槽Ａ１、Ａ２、Ａ３には、後述するいわゆる逆洗によって底部の瀘材３ａ、３ｂおよび３ｃより浮上した飼料および排泄物等の腐敗物を弁２０ａ、２０ｂ、２０ｃを介して外部に排出するための逆洗管１９ａ、１９ｂ、１９ｃが立設している。
さらに、瀘過槽Ｂおよび各水槽Ａ１、Ａ２、Ａ３の底部空間Ｐには、それぞれ排水用の弁２７ａ、２７ｂ、２７ｃおよび２７ｄが接続されており、これら弁２７ａ、２７ｂ、２７ｃおよび２７ｄと連通する開口部２７ａＸ、２７ｂＸ、２７ｃＸおよび２７ｄＸが形成されている。
【００２０】
また、瀘過槽Ｂの上部には適宜海水を供給するために吐出口に弁２８を備えた海水供給配管２１が臨んでおり、この海水供給配管２１により随時、海水または人工海水を直接供給することができるようになっている。
この場合、瀘過槽Ｂの底部空間Ｐ２には送水管２２が接続され、この送水管２２に弁２６ａ、２６ｂを前後に配置した送水ポンプ２３を介して冷却装置２４が接続されている。
【００２１】
この冷却装置２４には送水管２５が延設され、この送水管２５よりそれぞれ分岐した各吐出口を弁３０ａ、３０ｂ、３０ｃ、３０ｄを介して瀘過槽Ｂおよび各水槽Ａ１、Ａ２、Ａ３乃至その他図示しない各水槽に臨ませている。
すなわちこの冷却装置２４は、高熱帯地域において海水魚の飼育を行う際、水槽ないし瀘過装置内の水温が上昇するのを防止し、適温に維持するために使用されるものである。
【００２２】
次に、図２に示す水槽の側面断面図および図３に示す横形２連水槽の斜視図により水槽Ａの構造について説明する。
すなわち図２は、飼育装置に使用される底部瀘過を有する水槽の内、最適なオーバーフロー形水槽を拡大して示し、図１に示す水槽Ａのうち右から３番目の水槽Ａ３の側面を断面したものであり、図３は、右から３、４番目の水槽の斜視図である。
【００２３】
水槽Ａ３は、例えば直方体で４つの面を、硝子、プラスチック等のアクリル等を素材とする透明の側面板で被われて、４面から中の海水魚が見えるようにしたものを使用しても良いが、本実施例では、複数の水槽が単段に並設され、上方より観察することができるので、一体形ＦＲＰ（強化繊維プラスチック）で成形された多少不透明のものも使用される。
【００２４】
水槽Ａ３の底部には、パンチ板１が底面ＡＴ（底板の上面）から一定の距離を隔てて設置されており、上げ底を形成しているが、この底面からの距離は、通常は２０〜５０ｍｍの範囲が多く採用される。
パンチ板１は平板を矩形に形成したもので、水槽底部より所定距離上方の水槽内周囲に突設した支持枠３１ａ、３１ｂに支持されており、このパンチ板１が支持枠３１ａ、３１ｂに支持された際、水槽の底面とパンチ板１との間には底部空間Ｐが形成される。
【００２５】
パンチ板１の上は、約２．５ｍｍ位のメッシュの金属製又はプラスチック製の網状シート２で覆ってあり、該網状シート２の上には、カルシウムを多く含む珊瑚砂３が堆積されている。
このように、これら珊瑚砂３、パンチ板１及び網状シート２とで、いわば水槽内での底面瀘過機構が構成される。
なお、これは他の水槽Ａ１、Ａ２についても同様に構成されていることは図２より明らかである。
【００２６】
ここで、瀘材として珊瑚砂を選んだのは、珊瑚砂が表面積が広くてカルシウムを多く含むため、本件の発明に使うものとして最適であるからである。
後述するように、珊瑚砂３は直径が５ｍｍ〜１２ｍｍ程度のものが良いとされ、３０〜５０ｍｍの厚さにして均等に敷き詰められており、網状シート２のメッシュ目が珊瑚砂３より小さく設定されていることから、下に落ちることはない。
【００２７】
パンチ板１は、通常の水の循環を考慮にいれた設計により一定の間隔をおいて、内径が数ミリ程度の大きさで細穴１Ｈが設けられており、また上に珊瑚砂３を載置することから、それに耐えるだけの充分な強度を持たせてある。
さらにパンチ板１は、上げ底を形成し水槽Ａ３の底部に底部空間Ｐを作るためや、また、珊瑚砂３等を通って流れてきた水を、下方に自由にしてやるための役割を有する。
【００２８】
一方、図３に示す２連の水平横形構造をした水槽Ａ２、Ａ３および図４に示す瀘過槽Ｂと一体的に形成された水槽Ａ１の各隅にはオーバーフロー枠体４ａ、４ｂ、４ｃが設けられ、その中に落水管５ａ、５ｂ、５ｃが配設されるが、その落水管５ａ、５ｂ、５ｃはその途中より折曲して水槽の側板ＡＳより連結部Ｊを介して図１に示す外部の循環送水管９に接続される。
底部空間Ｐに入った水は、図２の矢印で示すように水槽Ａ３のオーバーフロー枠体４ｃの底穴部Ｔから横に出て再び上昇し、落水管５ｃの頂部Ｑ３より溢流して流下するのである。
【００２９】
また、オーバーフロー枠体４ｃの水槽Ａ３の水面位置には、各水槽内の水面Ｗに浮かぶ油膜を取り除くための油膜取り穴３２ｃが複数個穿設されている。
油膜は、この穴３２ｃを通してオーバーフロー枠体４ｃ内に流入し、その後、直ちに落水管５ｃの頂部Ｑ３から流下し最終的には散水装置６を介して瀘過槽Ｂに送られて浄化される。
尚、オーバーフロー枠体がある位置と反対側の位置で、循環送水管１５ｂの各吐出口が水面下に開口されており、瀘過された新しい水を水槽Ａ３に次々と供給する。
【００３０】
次に、瀘過槽Ｂにつき説明する。
図４に示す（ａ）および（ｂ）は、飼育装置に使用される瀘過槽Ｂを拡大して示す断面図である。
瀘過槽Ｂは、水槽Ａ１に隣接して配置されるようＦＲＰにより一体成形される場合が多い。
この瀘過槽Ｂは、単段に並設された各水槽の水を、更に瀘過する機能を有するもので、通常は、複数並設される水槽Ａ１の端部に隣接して設置される。
このように、複数の水槽が並設されると全水槽への視野が広がり、魚の飼育のため全水槽を管理する際、広範囲から見ることができ極めて便利である。
【００３１】
この場合、瀘過槽Ｂに隣接配置される水槽Ａ１は、前述した他の水槽と同一の構成であるため、同一部分に参照符号を付しその詳細な説明は省略する。
ここで、瀘過槽Ｂは、瀘過槽板８Ａ、側板ＡＳ、パンチ板８Ｃ、網状シート８Ｄ及び珊瑚砂瀘材８Ｂ等より構成され、この瀘過槽Ｂの底部には、パンチ板１が底面ＡＴ（底板の上面）から一定の距離を隔てて設置されており、上げ底を形成しているが、この底面からの距離は、通常は２０〜５０ｍｍの範囲が多く採用される。
【００３２】
すなわち、瀘過槽Ｂの底面ＡＴより所定距離上方の内周面には支持枠３３ａ、３３ｂが形成され、この支持枠３３ａ、３３ｂに矩形の平板状に形成されたパンチ板８Ｃが取外し自在に支持されている。
そして、このパンチ板８Ｃが支持枠３３ａ、３３ｂに支持されると、瀘過槽Ｂの底面ＡＴとパンチ板８Ｃとの間には底部空間Ｐ２が形成される。
この底部空間Ｐ２には、弁２７ａと接続する開口部２７ａＸが設けられている。
【００３３】
また、パンチ板８Ｃには、全体に細穴が設けられており、この細穴は装置全体の循環効率を考慮した流路設計を踏まえて、前述した水槽底部のパンチ板と同じように形成されている。
この上に金属製又はプラスチック製の網状シート８Ｄが敷かれた上で、珊瑚砂８Ｂが約５０〜８０ｍｍの厚さに堆積されている。
珊瑚砂８Ｂは必要な時に洗浄（約１ヵ月に一度位）するが、その場合はパンチ板８Ｃを取り外すことにより、簡単にそれと一緒に外部に取り出して洗うことができる。
【００３４】
この場合、珊瑚砂３は直径が５ｍｍ〜１２ｍｍ程度のものが良いとされ、３０〜５０ｍｍの厚さして均等に敷き詰められており、網状シート２のメッシュ目が珊瑚砂３より小さく設定されていることから、下に落ちることはない。
そして、珊瑚砂８Ｂは好気性バクテリアを繁殖させて有毒物を変化させてしまう生物瀘過作用を効率良く行うものである。
瀘過槽Ｂにおいては、珊瑚砂８Ｂは水面下にあるので、前述したように水槽の中の上げ底の上に堆積された珊瑚砂と同じ状態に置かれており、この瀘過槽Ｂの瀘過態様もほぼこれと同様なものとなる。
【００３５】
珊瑚砂８Ｂを通過した水は、パンチ板８Ｃの細穴を通過して底部空間Ｐ２に達し、この底部空間Ｐ２に達した後は循環ポンプ１０ａのポンプ力により循環送水管１１ａの吸入口８Ｅを介して吸入され、循環ポンプ１０ａからさらに延設した循環送水管１５ａより分岐された吐出口より瀘過槽Ｂ及び各水槽Ａ１、Ａ２に戻される。
すなわち図４では、循環送水管１１ａのみを図示しているが、実際は図１に示すように循環送水管１１ｂも瀘過槽Ｂの底部空間Ｐ２に前記循環送水管１１ａと並行に接続されており、循環ポンプ１０ｂのポンプ力により吸引された水は、循環送水管１５ｂを介して水槽Ａ３および図示しない他の水槽に分岐されて戻される。
【００３６】
ところで、本発明で使用される各水槽の底面瀘材や瀘過装置の珊瑚砂８Ｂは、その粒の大きさが５ｍｍ〜１２ｍｍ（ここでいう大きさとはその粒の外形をいう）のものが好適に採用される。
ここで、粒の大きさが５ｍｍ〜１２ｍｍが好適である理由は、砂状物の目詰まを防止でき、かつ洗浄の際洗い易いからである。
このような珊瑚砂は、瀘過効率が極めて優れているので、本発明のような幾つもの水槽の水を一挙に瀘過することができる。
【００３７】
さて、次に図２において、水槽Ａ３の中で水が循環される循環態様を述べる。
先ず、図１に示すポンプ１０ｂが他のポンプ１０ａと共に起動されると、飼育システム装置全体の水の循環が始まり、水槽Ａ３の水は、その底部にある珊瑚砂３の砂表面を撫でるように通過し、且つ底面全体に均等に通過し、パンチ板１の細穴１Ｈを通って底部空間Ｐに流れ込む。
この過程で珊瑚砂３に繁殖させた好気性バクテリアにより、窒素化合物を分解させる（生物的瀘過作用）。
【００３８】
なお、本発明において、瀘過槽の瀘材としてＰＨを向上させる機能を有するセラミック瀘材を使用していないのは、瀘過槽内に直接ＰＨの安定した海水（ＰＨ７．８〜８．２）を導入しているからである。
次に、底部空間Ｐに流れた水は、オーバーフロー枠体４ｃの底穴部Ｔから出て一旦上昇し、落水管５ｃの頂部Ｑ３から下に流れ込み、落水管５ｃに接続されている循環送水管９に受け継がれ他の水槽Ａ１、Ａ２のオーバーフローされた水と共に瀘過槽Ｂ上部の散水装置６に導かれる。
そして、散水装置６のシャワーリングによるエアレーションが行われ、また、図示しないヒータセンサにより、最適に温度調整がなされる。
循環工程は以上の通りである。
【００３９】
また、図１に示すように、濾過材を洗浄する逆洗の工程は次の通りである。
すなわち、濾過槽Ｂより循環ポンプ１０ａ、１０ｂを介して吐出された水は（この場合は通常殺菌されていない水を使う）、殺菌装置１４ａ、１４ｂの手前より分岐された逆洗用の分岐管１７ａ、１７ｂを介して各水槽Ａ１、Ａ２、Ａ３の底部空間Ｐに導入される。
【００４０】
そこで、図４の（ｂ）に矢印で示すように底部空間Ｐに導入された水がパンチ板１の細穴１Ｈから珊瑚砂の隙間を通って上方へ逆流する際、珊瑚砂内に詰まった飼料や排泄物を浮上させる逆洗浄（逆洗）を行い、浮上した飼料や排泄物は逆洗管１９ａ、１９ｂ、１９ｃの開口部よりこれら逆洗管１９ａ、１９ｂ、１９ｃ内に流入し外部へ排出される。
次に、瀘過槽の変形例につき図５を参照して説明する。なお、図４に示す瀘過槽Ｂを構成する部分と同一構成部分については同一符号を付しその詳細な説明は省略する。
【００４１】
すなわち、この瀘過槽ＢＸは、瀘過槽ＢＸの内部を仕切り板７Ａで仕切り、別に滞留室ＢＸ１を設けたものである。
この場合、瀘過槽ＢＸは、瀘過槽板８Ａ、側板ＡＳ、仕切り板７Ａ、パンチ板８ＸＣ、網状シート８ＸＤ及び珊瑚砂瀘材８ＸＢ等より構成され、この瀘過槽ＢＸの底部には、パンチ板８ＸＣが底面ＡＴ（底板の上面）から一定の距離を隔てて設置されており、上げ底を形成しているが、この底面からの距離は、通常は２０〜５０ｍｍの範囲が多く採用される。
【００４２】
このように、構成された瀘過槽ＢＸ内に散水装置６を介して各水槽より送水され珊瑚砂８ＸＢを通過した水は、パンチ板８ＸＣの細穴を通過して底部空間ＰＸ２に達し、この底部空間ＰＸ２より仕切り板７Ａの底穴部ＴＸから滞留室ＢＸ１内に流入する。
そして、そこに滞留した水は循環ポンプ１０ａのポンプ力により循環送水管１１ａの吸入口８Ｅを介して吸入され、循環ポンプ１０ａから更に延設された循環送水管１５ａより分岐された吐出口より瀘過槽Ｂ及び各水槽Ａ１、Ａ２に戻される。
【００４３】
本実施例の瀘過槽ＢＸは、この瀘過槽ＢＸの内部を仕切り板７Ａで分離して滞留室ＢＸ１を構成することにより、各水槽に、例えば、魚体内の雑菌、寄生虫を排除する薬剤や発育のための栄養剤等である薬剤（テトラバイタルまたはテトラマリンバイタル等）を供給する際、容易にこの滞留室ＢＸ１より投入することができるので便利である。
また循環送水管１１ａの吸入口８Ｅを底部空間ＰＸ２の位置に合せ瀘過槽底部近くに設定する制限が無くなり、設計上循環送水管１１ａの接続位置の設定が容易になる。
【００４４】
以上本発明を説明してきたが、各実施例の効果を総合して言及すると、水槽全体を観察することができるため魚の飼育のために管理する面での監視、観察並びにその取扱いが容易となる。
また各水槽が単段で床面上に設置されるので縦形積み重ね方式に比較して倒れ防止補強等の枠組みを不要とし、床面の形態に応じて比較的自由に配置（レイアウト）することができる。
さらにまた、使用されるポンプは水槽の高さが低いことから低揚程のポンプでも充分であり、そのためポンプ容量は縦形水槽に比し低容量で済み、トータルコストを低減することができる。
【００４５】
以上述べてきたことに付言すると、本発明は、その本質から逸脱しない範囲内で、他のいろいろな変形例が可能である。
その意味で、実施例については例示であり、何らそれだけに拘束して限定的に解釈されるものではない。
例えば、水平に設置される水槽の数は、瀘過装置の能力がそれに合ったものであれば、その数に限定されなく、各水槽は、オーバーフロー型の水槽であるものの、それ以外の形式の水槽も十分採用可能である。
また、実施例では、パンチ板や瀘材等に数値的な限定を加えているが、それらに限定されるものではない。
また、海水魚を対象としたが、淡水魚にも適用ができる。
【００４６】
【発明の効果】
水槽全体を監視、観察しやすくなり、水槽の配置に自由度ができ循環機能からみても極めて効率的な魚の飼育管理が可能となった。
コスト低減効果も十分である。
【図面の簡単な説明】
【図１】図１は本願発明の実施例である海水魚を飼育する水槽装置のフローシートを示す概念図である。
【図２】図２は海水魚を飼育するオーバーフロー型水槽の側面断面図である。
【図３】図３は横形２連のオーバーフロー型水槽の斜視図である。
【図４】図４（ａ）は瀘過槽と一体形成された水槽内で水がオーバーフローする際の水流の状態を示すオーバーフロー型水槽の側面断面図であり、図４（ｂ）は水槽内で逆洗される際の水流の状態を示すオーバーフロー型水槽の側面断面図である。
【図５】図５は瀘過槽の他の実施例を示しこの瀘過槽をオーバーフロー型水槽と一体形成した状態を示す側面断面図である。
【符号の説明】
Ａ１、Ａ２、Ａ３…水槽
ＡＳ…水板
ＡＴ…底面
Ｂ…濾過槽
ＢＸ…濾過槽
ＢＸ１…滞留室
１…パンチ板
２…網状シート
３…珊瑚礁
４ａ、４ｂ、４ｃ…オーバーフロー枠体
５ａ、５ｂ、５ｃ…落水管
６…散水装置
７Ａ…仕切り板
８Ａ…濾過槽板
８Ｂ、８ＸＢ…珊瑚礁
８Ｃ、８ＸＣ…パンチ板
８Ｄ、８ＸＤ…網状シート
８Ｅ…吸入口
９…循環送水管
１０ａ、１０ｂ…循環ポンプ
１１ａ、１１ｂ…循環送水管
１２ａ、１２ｂ…開閉弁（弁）
１３ａ、１３ｂ…循環用の弁
１４ａ、１４ｂ…殺菌装置
１５ａ、１５ｂ…循環送水管
１６ａ、１６ｂ…循環送水管
１７ａ、１７ｂ…逆洗用の分岐管
１８ａ、１８ｂ…逆洗用の弁
１９ａ、１９ｂ、１９ｃ…逆洗管
２０ａ、２０ｂ、２０ｃ…弁
２１…海水供給配管
２２…送水管
２３…送水ポンプ
２４…冷却装置
２５…送水管
２６ａ、２６ｂ…弁
２７ａ、２７ｂ、２７ｃ、２７ｄ…弁
２７ａＸ、２７ｂＸ…開口部
２８…弁
３０ａ、３０ｂ、３０ｃ、３０ｄ…弁
３１ａ、３１ｂ…支持枠
３２ａ、３２ｂ、３２ｃ…油膜取り穴
３３ａ、３３ｂ…支持枠
１Ｈ…細穴
Ｊ…連結部
Ｐ、Ｐ２、ＰＸ２…底部空間
Ｑ１、Ｑ２、Ｑ３…頂部
Ｔ、ＴＸ…底穴部
Ｕ１、Ｕ２、Ｕ３…弁
Ｕ１Ｘ、Ｕ２Ｘ、Ｕ３Ｘ…開口部
Ｖ１、Ｖ２、Ｖ３、Ｖ４…弁
【図１】
0003557251.tif 000002
【図２】
0003557251.tif 000003
【図３】
0003557251.tif 000004
【図４】
0003557251.tif 000005
【図５】
0003557251.tif 000006